(57)【特許請求の範囲】
【請求項１】
巻線が収納される複数のスロットを有する鉄心と、前記鉄心の軸方向両端面に配置されて前記巻線と鉄心ティースとの間を電気絶縁する合成樹脂等からなるインシュレータと、前記スロットに挿入されて前記巻線と鉄心のスロット内周面との間を電気絶縁するスロット絶縁紙とを有する電動機であり、前記インシュレータは前記巻線と前記鉄心とを電気絶縁するスロット内に向かって延設された壁部を一体に有し、かつ前記スロットは前記インシュレータ壁部を収納するように軸方向両端部分が中間部分よりも大なる寸法となっており、さらに前記スロット絶縁紙は、軸方向の両端で、前記インシュレータ壁部の巻線側の面に、所定の範囲内で重なるように配置されている構成を有する電動機において、前記鉄心のティース先端の、円周方向に拡幅された部分の半径方向厚みが、先端に向かって細められており、インシュレータのスロット内に向かって延設された壁部のうち、スロットの鉄心内径側の開口部付近において、壁部の厚みが増しており、かつ、前記壁部のスロットの鉄心内径側の開口部付近の巻線側の面が、少なくともティースに直交する面に対して、ステータ外周側に向けて折り曲げられている構成を有する電動機。
【請求項２】
請求項１記載の電動機において、インシュレータのスロット絶縁紙の軸方向端部に接する位置に突起部を有し、スロット絶縁紙の軸方向の移動を防止した電動機。
【請求項３】
請求項１記載の電動機において、インシュレータのスロット絶縁紙の軸方向端部がスロットに対して外側に向かって折り曲げられており、かつ、インシュレータには前記スロット絶縁紙の折り曲げ部を差し込み収納する穴または溝が設けられている構成を有する電動機。
【請求項４】
請求項１記載の電動機において、インシュレータのスロット内に向かって延設された壁部の厚みが、軸方向両端部分の鉄心と中間部分の鉄心とのスロットの寸法差と同等か、わずかに大きい構成を有する電動機。
【請求項５】
請求項４記載の電動機において、インシュレータのスロット内に向かって延設された壁部の、軸方向の中間に向かった巻線側の端部が丸められ、または面取りを施された構成を有する電動機。
【請求項６】
請求項１記載の電動機において、スロット絶縁紙がスロットの形状にほぼ沿って設けられているとき、スロットの鉄心内径側の開口部付近において、スロット絶縁紙の端部を中心とした所定の半径の円にて、鉄心のティース先端の円周方向に拡幅された部分が切り欠かれており、かつ、前記切り欠き部のほとんどに入るようにインシュレータが成形されている構成を有する電動機。
【請求項７】
請求項１記載の電動機において、スロット絶縁紙がインシュレータの壁部のスロットの鉄心内径側の開口部付近の巻線側の面に沿って折り曲げられた構成を有する電動機。
【請求項８】
請求項１記載の電動機において、鉄心の軸方向両端のスロット周囲に面取りを施した構成を有する電動機。
【請求項９】
請求項１記載の電動機において、鉄心の、前記スロットの軸方向両端の、それぞれ１枚、または少数枚のコアシートのみ、他のコアシートのスロット寸法よりわずかに大なるスロット寸法を有する電動機。
【請求項１０】
請求項８記載の電動機において、面取り部に合成樹脂が入るような形状にインシュレータが成形された電動機。
【請求項１１】
請求項９記載の電動機において、軸方向両端の、それぞれ１枚、または少数枚のスロット寸法が大なるステータコアシートのスロット外周部に、合成樹脂が入るような形状にインシュレータが成形された電動機。
【請求項１２】
請求項１から請求項１１のいずれか１項に記載の電動機を用いた構成を有する電動送風機。
【請求項１３】
請求項１から請求項１１のいずれか１項に記載の電動機を用いた構成を有する密閉型電動圧縮機。
【請求項１４】
請求項１３記載の密閉型電動圧縮機において、冷媒としてＨＦＣ冷媒を用い、電動機インシュレータの材質を、ガラス繊維の含有率が１０ｗｔ％以上かつ３０ｗｔ％以下のポリブチレンテレフタレート（ＰＢＴ）とした構成を有する密閉型電動圧縮機。
【請求項１５】
請求項１３記載の密閉型電動圧縮機において、冷媒としてＨＦＣ冷媒を用い、電動機インシュレータの材質を、ポリフェニレンスルフィド（ＰＰＳ）とした構成を有する密閉型電動圧縮機。
【発明の詳細な説明】
【０００１】
【発明の属する技術分野】
本発明は、電動送風機や密閉型電動圧縮機などに使用される電動機に関する。
【０００２】
【従来の技術】
従来、電動送風機や密閉型電動圧縮機などに使用される電動機は、電動機鉄心と巻線との電気絶縁を行うために、スロット絶縁紙を鉄心の軸方向長さより一定距離以上長くし、鉄心と巻線端部との空間絶縁距離を保つように巻線を行う方法をとっていた。または、別の方法としては鉄心そのものを樹脂等の絶縁物でモールドする方法や、鉄心スロット内へ軸方向からインシュレータを挿入する方法、または、鉄心へスロット絶縁紙を差込、軸方向から挿入したインシュレータの鉄心側に重ね合わせるなどの方法により、巻線と鉄心の絶縁を行っていた。
【０００３】
【発明が解決しようとする課題】
しかしながら、スロット絶縁紙を、鉄心の軸方向長さより一定距離以上長くし、鉄心と巻線コイルエンド部との空間絶縁距離を保つように巻線を行う方法においては、安全性を確保するために所定の空間絶縁距離を保つ必要があり、コイルエンド部が必要以上にふくらみ、巻線の電気抵抗が増加して電動機の効率を低下させる。また、電動機の全長が大きくなるなどの課題を有していた。
【０００４】
また、鉄心そのものを合成樹脂でモールドする方法においては、樹脂成形性の関係から、スロット部の絶縁厚さを電気絶縁のために要求される以上に大きくする必要があり、その結果巻線スペースが小さくなるという課題を有していた。
【０００５】
一方で、近年地球環境保護の観点から電動機の高効率化、小型化、省材料化が強く求められている。本発明はこの要求に応えるものであり、電動機巻線の電気抵抗を小さくすることにより高効率の電動機を提供することを目的とする。
【０００６】
【課題を解決するための手段】
上記課題を解決するために本発明は、インシュレータが巻線と鉄心とを電気絶縁する壁部をスロット内に向かって延設して一体に有し、かつ前記スロットは前記壁部を収納するように軸方向両端部がスロット全周にわたって中間部分よりも大なる寸法となっており、さらにスロット絶縁紙をインシュレータの壁部と所定の範囲内で重なるように配置したものである。
【０００７】
これにより、スロット内部に巻線収納スペースを減少させる突起部が無いので、電線断面積を大きくできる。鉄心端面と巻線間の絶縁距離を確保するために不必要にコイルエンドを大きくする必要が無いので、巻線長が短くできるなどにより巻線の電気抵抗を小さくすることができるので高効率の電動機を提供することができる。
【０００８】
【発明の実施の形態】
第１の発明は、巻線が収納される複数のスロットを有する鉄心と、前記鉄心の軸方向両端面に配置されて前記巻線と鉄心ティースとの間を電気絶縁するインシュレータと、前記スロットに挿入されて前記巻線と鉄心のスロット内周面との間を電気絶縁するスロット絶縁紙とを有する電動機おいて、前記インシュレータは前記巻線と前記鉄心とを電気絶縁するスロット内に向かって延設された壁部を一体に有し、かつ前記スロットは前記インシュレータ壁部を収納するように軸方向両端部分が中間部分よりも大なる寸法となっており、さらに前記スロット絶縁紙は、軸方向の両端で、前記インシュレータ壁部の巻線側の面にて、所定の範囲内で重なるように配置したものであり、スロット面積を最大限に利用でき、磁気回路をほとんど妨げることが無いため、効率の高い電動機を提供できるという作用を有する。さらに、鉄心のティース先端の、円周方向に拡幅された部分の半径方向厚みが、先端に向かって細められており、インシュレータのスロット内に向かって延設された壁部のうち、スロットの鉄心内径側の開口部付近において、壁部の厚みが増しており、かつ、前記壁部のスロットの鉄心内径側の開口部付近の巻線側の面が、少なくともティースに直交する面に対して、ステータ外周側に向けて折り曲げられている構成を有する電動機であり、鉄心とスロット絶縁紙の間に空間がある場合においても、スロット絶縁紙に力がかからず、鉄心とスロット絶縁紙との間の距離が短くなり、巻線と鉄心の距離が縮まることを防止する作用を有する。
【０００９】
第２の発明は、第の発明において、インシュレータのスロット絶縁紙の軸方向端部に接する位置に突起部を有し、スロット絶縁紙の軸方向の移動を防止した電動機おいて、突起の大きさを十分に小さくする、または、突起をスロットの底の中央部等に設ける等により、巻線スペースを減少させること無く、スロット絶縁紙の軸方向の移動を防止する作用を有する。
【００１０】
第３の発明は、第１の発明において、インシュレータのスロット絶縁紙の軸方向端部がスロットに対して外側に向かって折り曲げられており、かつ、インシュレータには前記スロット絶縁紙の折り曲げ部を差し込み収納する穴または溝が設けられている電動機であり、巻線部内側に突起を設けずにすむので、巻線スペースを有効に使うことができるという作用を有する。
【００１１】
第４の発明は、第１の発明において、第前記インシュレータのスロット内に向かって延設された壁部の厚みが、軸方向両端部分の鉄心と中間部分の鉄心とのスロットの寸法差と同等か、わずかに大きい電動機であり、鉄心のバリによりスロット絶縁紙が破れ、絶縁が破壊されることを防止する作用を有する。
【００１２】
第５の発明は、第１の発明において、前記インシュレータのスロット内に向かって延設された壁部の、軸方向の中間に向かった巻線側の端部が丸められ、または面取りを施された電動機であり、スロット内部にスロット絶縁紙を配設するときにインシュレータと鉄心に段差があった場合においても、スロット絶縁紙の破損を防止する作用を有する。
【００１３】
第６の発明は、第１の発明において、前記スロット絶縁紙がスロットの形状にほぼ沿って設けられているとき、スロットの鉄心内径側の開口部付近において、スロット絶縁紙の端部を中心とした所定の半径の円にて、鉄心のティース先端の円周方向に拡幅された部分が切り欠かれており、かつ、前記切り欠き部のほとんどに入るようにインシュレータが成形されている電動機であり、ティース先端付近の磁路をほとんど妨げることなく、巻線と鉄心との空間絶縁距離を保つことができる。
【００１４】
第７の発明は、第１の発明において、前記スロット絶縁紙が、前記インシュレータの壁部のスロットの鉄心内径側の開口部付近の巻線側の面に沿って折り曲げられた電動機であり、作業性が良好で、空間絶縁距離の保持が容易であるという作用を有する。
【００１５】
第８の発明は、第１の発明において、鉄心の、軸方向両端の、スロット周囲に面取りを施した電動機であり、鉄心のスロット端部の縁がインシュレータの内側に当たって絶縁が破壊されることを防ぐ作用を有する。
【００１６】
第９の発明は、第１の発明において、鉄心の、前記スロットの軸方向両端の、それぞれ１枚、または少数枚のコアシートのみ、他のコアシートのスロット寸法よりわずかに大なるスロット寸法を有する電動機であり、鉄心のスロット端部の縁がインシュレータの内側に当たって絶縁が破壊されることを防ぐ作用を有する。
【００１７】
第１０の発明は、第８の発明の面取り部、または、第９の発明のスロット寸法が大なるステータコアシートのスロット外周部に、インシュレータが入るような形状に成形された電動機であり、インシュレータと前記壁部との接合部の強度を増大させ、鉄心のスロット端部の縁がインシュレータの内側に当たって絶縁が破壊されることを防ぐ作用を有する。
【００１８】
第１１の発明は、上記いずれかの発明の電動機を用いた電動送風機であり、小型で高効率な電動送風機を提供する作用を有する。
【００１９】
第１２の発明は、上記いずれかの発明の電動機を用いた密閉型電動圧縮機であり、小型、高効率であり、さらにワニスなどの副材料を使用せず、キャピラリー詰まりを起こしにくい密閉型電動圧縮機を提供する作用を有する。
【００２０】
第１３の発明は、第１２の発明においてＨＦＣ冷媒を用い、インシュレータの材質を、ガラス繊維の含有率が１０ｗｔ％以上、３０ｗｔ％以下のポリブチレンテレフタレート（ＰＢＴ）とした密閉型電動圧縮機であり、インシュレータの強度が高く、信頼性の良好な密閉型電動圧縮機を提供するという作用を有する。
【００２１】
第１４の発明は、第１２の発明においてＨＦＣ冷媒を用い、インシュレータの材質を、ポリフェニレンスルフィド（ＰＰＳ）とした密閉型電動圧縮機であり、耐熱性に優れ、オリゴマ量の少ない密閉型電動圧縮機を提供するという作用を有する。
【００２２】
（実施の形態１）
以下、図１および図２を用いて、発明の一実施の形態について説明する。
【００２３】
図１は、本発明の一実施の形態を示す電動機鉄心と巻線との絶縁構造の分解斜視図であり、鉄心においては、固定子の１つの突極について拡大したものである。なお、巻線は省略してある。また、インシュレータは、片側のみについて示し、他の側については、上下対称であるため省略した。
【００２４】
図２は、本発明の一実施の形態を示す電動機鉄心と巻線との絶縁構造のＡ−Ａ’断面図である。本図面では、断面部分のみを示しており、巻線は省略してある。
【００２５】
固定子の鉄心１０は、複数のティース１１とそれらをつなぐヨーク１２とからなり、鉄心１０は、略同一形状に打抜かれた電磁鋼鈑を積層してなる。
【００２６】
インシュレータ２０は、本体部２２と、壁部２３とを一体として合成樹脂により成形されている。また、本体部２２には、巻線端部が収納される溝２１が設けられており、スロットおよび前記溝２１に所定回数の巻線が施される。
【００２７】
さらに、インシュレータの壁部２３の巻線側に、スロット外周部の形状に合うように折り曲げられたスロット絶縁紙３０を設置し、インシュレータの壁部２３とスロット絶縁紙３０とが、軸方向に一定長、重なり合うようにしてある。インシュレータの壁部２３とスロット絶縁紙３０とが重なり合う部分の鉄心１３は、その他の部分の鉄心１４より、スロットの大きさが、ほぼ全周にわたってインシュレータの壁部２３の厚みだけ、大きくなっている。本構成により、スロット絶縁紙３０が、インシュレータの壁部２３によりスロット内側（巻線側）に飛び出すことなく、したがって、スロット面積を十分に巻線に用いることが可能である。また、磁気回路をほとんど規制することがないため、鉄損の増加も最小限に抑えることが可能である。
【００２８】
なお、通常、スロット絶縁紙３０の軸方向長さは鉄心１０の軸方向長さ（積厚）と同等とし、インシュレータの壁部２３の軸方向長さを所定の空間距離が確保できる寸法とすることで、安全企画などの絶縁距離を満足することができる。所定の距離とは、例えば、密閉型圧縮機の場合、ＵＬに記載の必要最小沿面距離２．４ｍｍ以上あれば良い。
【００２９】
インシュレータ本体部２２には巻線が収納される溝２１を設けているため、巻線のコイルエンド部分が動くのを防止できるので、ワニスで固めたり縛り糸で固定する等の手段を用いてコイルを固定する必要が無く、生産性が良好な電動機が提供できる。
【００３０】
さらに、インシュレータ２０に、スロット絶縁紙の位置決め手段を設けることで、インシュレータとスロット絶縁紙の重なり合った部分を所定長さだけ正しく確保することができる。本実施の形態では、インシュレータ２０の突極（ティース）の両側以外の位置に突起２４を設け、位置決めを行っている。インシュレータの成形時に突起を設ければ良いので、生産性も良好であり、作業性も良好である。突起は段差でも良い。突起２４は、スロット絶縁紙３０の厚み程度あれば十分であり、巻線後は巻線の張力によって固定されるため、巻線を施すまでスロット絶縁紙が固定できれば良い。実際は、インシュレータとスロット絶縁紙の重なり合った部分の軸方向長さは、主として鉄心の軸方向長さ（積厚）がばらつきの範囲内で最大となった時、所定の沿面距離を確保できる長さが必要である。
【００３１】
なお、インシュレータの壁部２３とスロット絶縁紙３０とが重なり合う部分の鉄心１３は、その他の部分の鉄心１４より、スロットの大きさが、ほぼ全周にわたってインシュレータの壁部２３の厚みだけ、大きくなっていれば良いが、鉄心の打ち抜き精度のばらつきや、インシュレータの成形のばらつきにより、それぞれの寸法は変動する。したがって、スロット絶縁紙３０を配置した時に、段差が生じる場合がある。インシュレータの壁部２３とスロット絶縁紙３０とが重なり合う部分の鉄心１３は、その他の部分の鉄心１４より、スロットの大きさが、ほぼ全周にわたってインシュレータの壁部２３の厚み未満しか、大きくなっていなかった場合、鉄心の角がスロット絶縁紙３０に当たり、鉄心にバリがあった場合には、スロット絶縁紙３０に傷がつき、絶縁が破壊される場合がある。
【００３２】
上記課題に対する対策の一例として、図３に、図２におけるＢ部の拡大断面図を示す。
【００３３】
したがって、寸法のバラツキを考慮して、インシュレータの壁部３３の厚みを、軸方向両端部分の鉄心３８と中間部分の鉄心３９との寸法差よりわずかに大きくなるように設定すれば良い。また、インシュレータの壁部３３の軸方向の中間部に向かった巻線側の端部３３ｃに面取りを施している。本構成により、インシュレータの壁部３３と軸方向中間部の鉄心３９の、巻線側にスロット絶縁紙４０を配置したとき、段差があったとしても、スロット絶縁紙４０が鉄心の角に当たることが無く、鉄心３９とスロット絶縁紙４０との間に空間３６が形成され、スロット絶縁紙が変形したとしても、面取りに沿って緩やかに変形するため、絶縁が破壊されることを防止することができる。
【００３４】
なお、スロット絶縁紙の位置決め手段は、図４に示すように、インシュレータ４５に溝４４を設け、スロット絶縁紙５０の軸方向端部５０ｅが折り曲げられ、前記溝４４に差し込むようにしても良い。本構成により、スロットに突起が無く、巻線性が良好であり、スロット絶縁紙の位置決めおよび固定が強固となる。
【００３５】
（実施の形態２）
図５は、本発明の他の実施の形態を示す電動機鉄心と巻線との絶縁構造の分解斜視図であり、鉄心およびインシュレータにおいては、固定子の１つの突極について拡大したものである。なお、巻線は省略してある。また、インシュレータは、片側のみについて示し、他の側については、上下対称であるため省略した。
【００３６】
図６は、本発明の一実施の形態を示す電動機鉄心と巻線との絶縁構造の平面図である。鉄心およびインシュレータにおいては、固定子の１つの突極について拡大したものであり、便宜上、巻線は一部のみコイルエンドを取り除いた形にて記載している。なお、鉄心のうち、スロットおよびティースの形状は、インシュレータに隠れて見えないため破線にて示した。
【００３７】
固定子の鉄心６０は、複数のティース６１とそれらをつなぐヨーク６２とからなり、鉄心６０は、略同一形状に打抜かれた電磁鋼鈑を積層してなる。
【００３８】
インシュレータ７０は、本体部７２と、壁部７３とを一体として合成樹脂により成形されている。また、本体部７２には、巻線端部が収納される溝７１が設けられており、スロットおよび前記溝７１に所定回数の巻線が施される。
【００３９】
さらにインシュレータの壁部７３の巻線側に、スロット外周部の形状に合うように折り曲げられたスロット絶縁紙８０を設置し、インシュレータの壁部７３とスロット絶縁紙８０とが、軸方向に一定長、重なり合うようにしてある。インシュレータの壁部７３とスロット絶縁紙８０とが重なり合う部分の鉄心６３は、その他の部分の鉄心６４より、スロットの大きさが、ほぼ全周にわたってインシュレータの壁部７３の厚みだけ、大きくなっている。
【００４０】
前記スロット絶縁紙８０が、スロットの形状にほぼ沿って設けられているとき、スロットの鉄心内径側の開口部付近において、スロット絶縁紙の端部８０ｃを中心とした所定の半径ＲＴの円にて、鉄心のティース先端の円周方向に拡幅された部分が切り欠かれており、かつ、前記切り欠き部６０ｔのほとんどに入るようにインシュレータの壁部７３が成形されている。
【００４１】
鉄心のティース先端の、円周方向に拡幅された部分の、半径方向厚みが、先端に向かって細められており、前記インシュレータのスロット内に向かって延設された壁部７３のうち、スロットの鉄心内径側の開口部付近において、壁部の厚みが増しており、かつ、前記壁部７３の、スロットの鉄心内径側の開口部付近の巻線側の面７０ｕが、少なくともティースに直交する面に対して、ステータ外周側に向けてθｔの角度で折り曲げられている。θｔの角度は、０より大きく、かつ、巻線時に邪魔にならない程度小さくする必要が有る。また、インシュレータのスロット開口部付近の巻線側の面の端部の位置７０ｓは、ステータ外周部に高すぎると整列巻線の妨げになる。したがって、インシュレータの巻線側の面のうち、ティースの主磁路部とティースの拡幅部の交差する点７０ｔを通り、ティースと直交する線Ｌｔよりステータ内周側に、インシュレータのスロット開口部付近の巻線側の面の端部の位置が来るようにすると良い。
【００４２】
さらに、前記スロット絶縁紙８０が、前記インシュレータの壁部７３のスロットの鉄心内径側の開口部付近の巻線側７０ｕの面に沿って折り曲げられている。
【００４３】
本構成により、巻線と鉄心間に一定の距離を保つことができ、絶縁のために必要な沿面距離を確保することが可能である。一般に、家庭用の冷蔵庫やエアコンに用いられる密閉型圧縮機の場合、Ｒｔは２．４ｍｍ以上必要である。
【００４４】
また、軸方向中間部の鉄心の、ティース先端の円周方向に拡幅された部分の先端部の切り欠き部６０ｔと、スロット絶縁紙８０の間には空間があるが、巻線を施す際のテンションは、ティース側に向かって働く。したがって、テンションはＴ１に示すとおり、鉄心とスロット絶縁紙が密着している部分か、Ｔ２に示すとおりティース側に隣接する巻線にかかるため、軸方向中間部の鉄心の、ティース先端の円周方向に拡幅された部分の先端部の切り欠き部６０ｔと、スロット絶縁紙８０の間隔が縮められることがなく、絶縁距離を確保できる。
【００４５】
軸方向中間部の鉄心の、ティース先端の円周方向に拡幅された部分の先端部の切り欠き部６０ｔと、スロット絶縁紙８０の間にある空間部に、スペーサを配置しても良く、前記スペーサは、前記インシュレータの壁部に連続して一体として成形すると良い。
【００４６】
なお、θｔは大きすぎると巻線時の妨げになり、高密度巻線が困難となる。そこで、θｔはできるだけ小さくとるのが良い。
【００４７】
また、ティース先端の拡幅部に円による切り欠きが施されていても、ティース先端の拡幅部の根元部は十分な幅があるため、磁束の流れの妨げとなることはないため、効率を低下させること無く、絶縁距離を確保できる。
【００４８】
（実施の形態３）
以下、図７を用いて、発明の別の他の実施の形態について説明する。
【００４９】
図７は、本発明の別の他の実施の形態を示す電動機鉄心と巻線との絶縁構造の拡大断面図であり、図２に示したＢ部を拡大している。巻線は省略してある。
【００５０】
インシュレータ１００は、巻線と前記鉄心９０とを電気絶縁するスロット内に向かって延設された壁部を一体に有し、合成樹脂により成形されており、さらにインシュレータの壁部１０３の巻線側に、スロット外周部の形状に合うように折り曲げられたスロット絶縁紙１１０を設置し、インシュレータの壁部１０３とスロット絶縁紙１１０とが、軸方向に一定長、重なり合うようにしてある。
【００５１】
インシュレータの壁部１０３とスロット絶縁紙１１０とが重なり合う部分の鉄心９２は、その他の部分の鉄心９１より、スロットの大きさが、ほぼ全周にわたってインシュレータの壁部１０３の厚みだけ、大きくなっている。
【００５２】
さらに、鉄心の、前記スロットの軸方向両端の、それぞれ１枚、または少数枚のコアシート９３のみ、他のコアシートのスロット寸法よりわずかに大なるスロット寸法を有する。スロット寸法が大なるステータコアシート９３のスロット外周部に、インシュレータが入るように、インシュレータのスロット周囲に当たる部分１０１が段差になっている。本構成により、スロット周囲が鉄心のバリや巻線時のテンションなどにより、インシュレータのスロット周囲に当たる部分１０１にクラックが入り、絶縁が破壊されることを防止する。
【００５３】
なお、図８に示すように、鉄心の、軸方向両端の、スロット周囲に面取り１１１を施し、前記面取り部に合うようインシュレータ１３０のスロット周囲に当たる部分に斜面部１３１を設けても良い。本構成においてはスロット周囲に鋭い縁が無いため、インシュレータ１３０にクラックが入ることがない。
【００５４】
なお、インシュレータのスロット周囲に当たる部分と鉄心との間には、わずかな隙間を有していても良い。
【００５５】
本実施の形態については、必ずしもインシュレータとスロット絶縁紙を組み合わせた構成である必要は無く、軸方向の両側のインシュレータを重ね合わせる。また、鉄心の直接インシュレータを一体成形する等の場合にも適用可能である。
【００５６】
上記実施の形態に説明した電動機は、占積率が高く、また、コイルエンドを小さくすることができるため、銅損が低減でき、小型化、高効率が要求される電動送風機や、密閉型電動圧縮機等に使用すると好適である。また、密閉型電動圧縮機に使用する場合は、オゾン層破壊防止の観点からＨＦＣ冷媒を用いた場合、インシュレータの材質としては、ガラス繊維の含有率が１０ｗｔ％以上、３０ｗｔ％以下のポリブチレンテレフタレート（ＰＢＴ）、または、ポリフェニレンスルフィド（ＰＰＳ）を用いると良い。ＰＢＴの場合、ガラス繊維含有により、インシュレータにクラックが入りにくくなり、絶縁に対して安全である。また、ＰＰＳを使用すればオリゴマ量が少なくなるため、インシュレータの強度向上のために、使用する樹脂量が大きくなったとしても、品質の良い圧縮機を提供することができる。なお、ＰＰＳは硬度が高いため、ガラス繊維を４０ｗｔ％程度含有し、リニア成形にて作ると良い。
【００５７】
また、スロット絶縁紙は、ポリエチレンナフタレート（ＰＥＮ）、またはポリエチレンテレフタレート（ＰＥＴ）を用いると良い。
【００５８】
なお、上記実施の形態においては、内転型の回転機の固定子鉄心と巻線との絶縁構造について述べたが、外転型の回転機の固定子鉄心、分割型固定子、整流子回転機の電機子、発電機等にも適用可能である。また、インシュレータや鉄心の形状などは任意である。
【００５９】
【発明の効果】
第１の発明によれば、スロット面積を最大限に利用でき、磁気回路をほとんど妨げることが無いため、効率の高い電動機を提供でき、かつ、異なる積厚に対して同一のインシュレータを用いることができる。また、第１の発明によれば、鉄心とスロット絶縁紙の間に空間がある場合においても、スロット絶縁紙に力がかからず、鉄心とスロット絶縁紙との間の距離が短くなり、巻線と鉄心の距離が縮まることを防止することができる。
【００６０】
第２の発明によれば、巻線スペースを減少させること無く、スロット絶縁紙の軸方向の移動を防止できる。
【００６１】
第３の発明によれば、巻線部内側に突起を設けずにすむので、巻線スペースを有効に使うことができる。
【００６２】
第４の発明によれば、鉄心のバリによりスロット絶縁紙が破れ、絶縁が破壊されることを防止することができる。
【００６３】
第５の発明によれば、スロット内部にスロット絶縁紙を配設するときにインシュレータと鉄心に段差があった場合においても、スロット絶縁紙の破損を防止することができる。
【００６４】
第６の発明によれば、ティース先端付近の磁路をほとんど妨げることなく、巻線と鉄心との空間絶縁距離を保つことができる。
【００６５】
第７の発明によれば、作業性が良好で、空間絶縁距離の保持が容易である。
【００６６】
第８の発明によれば、鉄心のスロット端部の縁がインシュレータの内側に当たって絶縁が破壊されることを防ぐことができる。
【００６７】
第９の発明によれば、鉄心のスロット端部の縁がインシュレータの内側に当たって絶縁が破壊されることを防ぐことができる。
【００６８】
第１０の発明によれば、インシュレータと前記壁部との接合部の強度を増大させ、鉄心のスロット端部の縁がインシュレータの内側に当たって絶縁が破壊されることを防ぐことができる。
【００６９】
第１１の発明によれば、小型で高効率な電動送風機を提供することができる。
【００７０】
第１２の発明によれば、小型、高効率であり、さらにワニスなどの副材料を使用せず、キャピラリー詰まりを起こしにくい密閉型電動圧縮機を提供することができる。
【００７１】
第１３の発明によれば、インシュレータの強度が高く、信頼性の良好な密閉型電動圧縮機を提供することができる。
【００７２】
第１４の発明によれば、耐熱性に優れ、オリゴマ量の少ない密閉型電動圧縮機を提供することができる。
【図面の簡単な説明】
【図１】  本発明の一実施の形態を示す電動機鉄心と巻線との絶縁構造の分解斜視図
【図２】  本発明の一実施の形態を示す電動機鉄心と巻線との絶縁構造のＡ−Ａ’断面図
【図３】  本発明の一実施の形態を示す電動機鉄心と巻線との絶縁構造の部分拡大断面図
【図４】  本発明の一実施の形態を示す電動機鉄心と巻線との絶縁構造の部分拡大断面図
【図５】  本発明の他の実施の形態を示す電動機鉄心と巻線との絶縁構造の分解斜視図
【図６】  本発明の他の実施の形態を示す電動機鉄心と巻線との平面図
【図７】  本発明の別の他の実施の形態を示す電動機鉄心と巻線との絶縁構造の部分拡大断面図
【図８】  本発明の別の他の実施の形態を示す電動機鉄心と巻線との絶縁構造の部分拡大断面図
【符号の説明】
１０  固定子の鉄心
１１  突極（ティース）
１２  ヨーク
２０  インシュレータ
３０  スロット絶縁紙
【図１】
0004449121.tif 000002
【図２】
0004449121.tif 000003
【図３】
0004449121.tif 000004
【図４】
0004449121.tif 000005
【図５】
0004449121.tif 000006
【図６】
0004449121.tif 000007
【図７】
0004449121.tif 000008
【図８】
0004449121.tif 000009